【手続補正書】
【提出日】平成27年6月8日(2015.6.8)
【手続補正１】
【補正対象書類名】特許請求の範囲
【補正対象項目名】請求項６
【補正方法】変更
【補正の内容】
【請求項６】
前記物体側部分レンズ群の焦点距離をｆ２ａとするとき、
０．１＜ｆ２ａ／｜ｆ２ｂ｜＜１．０
なる条件式を満足することを特徴とする請求項１乃至５のいずれか１項に記載のズームレンズ。
【手続補正２】
【補正対象書類名】明細書
【補正対象項目名】００４２
【補正方法】変更
【補正の内容】
【００４２】
無限遠物体の合焦時において広角端から望遠端へのズーミングに際しての物体側部分レンズ群の移動量をＸ２ａとする。無限遠物体の合焦時において広角端から望遠端へのズーミングに際しての像側部分レンズ群の移動量をＸ２ｂとする。無限遠物体の合焦時において広角端における物体側部分レンズ群Ｌ２ａの最も像側のレンズ面から像側部分レンズ群Ｌ２ｂの最も物体側のレンズ面までの距離をＡ２ｗとする。物体側部分レンズ群Ｌ２ａの焦点距離をｆ２ａとする。
【手続補正３】
【補正対象書類名】明細書
【補正対象項目名】００６９
【補正方法】変更
【補正の内容】
【００６９】
条件式（１３）は、第１レンズ群Ｌ１で負の屈折力の絶対値が最も大きい負レンズ成分の像側のレンズ面と、正の屈折力が最も強い正レンズ成分の物体側のレンズ面とのなす空気レンズの形状を規定している。ここで、負レンズ、正レンズが複合非球面レンズや接合レンズの場合は、物体側のレンズ面の曲率半径、像側のレンズ面の曲率半径はそれぞれ、空気接触面の曲率半径を採用するものとする。第１レンズ群Ｌ１内の空気レンズの形状を適切に配置することで、高い光学性能を得ている。
【手続補正４】
【補正対象書類名】明細書
【補正対象項目名】００８１
【補正方法】変更
【補正の内容】
【００８１】
各実施例において、より好ましくは条件式（４）乃至（２０）の数値範囲を以下の範囲とするのがよい。
０．５＜｜Ｘ２ａ｜／ｆｗ＜１．４          …（４ａ）
０．７０＜Ｘ２ａ／Ｘ２ｂ＜１．３５        …（５ａ）
１．３＜ｆ２ａ／Ａ２ｗ＜５．５            …（６ａ）
１．１５＜｜ｆ１｜／ｆ２ａ＜２．１０      …（７ａ）
０．１１＜ｆ２ａ／｜ｆ２ｂ｜＜０．８０    …（８ａ）
１．１＜（β２ａｔ＊β２ｂｗ）／（β２ａｗ＊β２ｂｔ）＜３．０    …（９ａ）
１．７５＜（Ｎｄ１ｎ＋Ｎｄ１ｐ）／２＜２．１０                    …（１０ａ）
１．７４＜νｄ１ｎ／νｄ１ｐ＜２．６０    …（１１ａ）
０．６＜（Ｒ２ｎｂ＋Ｒ２ｎａ）／（Ｒ２ｎｂ−Ｒ２ｎａ）＜３．０    …（１２ａ）
２．５＜（Ｒ１ｐａ＋Ｒ１ｎｂ）／（Ｒ１ｐａ−Ｒ１ｎｂ）＜２６．０  …（１３ａ）
０．２＜Ｄ１／ｆｗ＜２．３                        …（１４ａ）
０．１５＜Ｄ２ｂ／ｆｗ＜０．８０          …（１５ａ）
０．１４＜Ａ２ｗ／ｆｗ＜０．８０          …（１６ａ）
０．７＜ｆ２ａ／Ｙｉｍ＜１．８            …（１７ａ）
０．２５＜Ｄ１／Ｙｉｍ＜１．５０          …（１８ａ）
０．２＜Ｄ２ｂ／Ｙｉｍ＜０．８            …（１９ａ）
０．２＜Ａ２ｗ／Ｙｉｍ＜１．２            …（２０ａ）
各実施例において、さらに好ましくは条件式（４ａ）〜（２０ａ）の数値範囲を以下の範囲とするのがよい。
０．６＜｜Ｘ２ａ｜／ｆｗ＜１．３          …（４ｂ）
０．８＜Ｘ２ａ／Ｘ２ｂ＜１．１            …（５ｂ）
１．６＜ｆ２ａ／Ａ２ｗ＜５．０            …（６ｂ）
１．３＜｜ｆ１｜／ｆ２ａ＜１．９          …（７ｂ）
０．１２＜ｆ２ａ／｜ｆ２ｂ｜＜０．６０    …（８ｂ）
１．２＜（β２ａｔ＊β２ｂｗ）／（β２ａｗ＊β２ｂｔ）＜２．０      …（９ｂ）
１．８＜（Ｎｄ１ｎ＋Ｎｄ１ｐ）／２＜２．０    …（１０ｂ）
１．７８＜νｄ１ｎ／νｄ１ｐ＜２．６０        …（１１ｂ）
０．７＜（Ｒ２ｎｂ＋Ｒ２ｎａ）／（Ｒ２ｎｂ−Ｒ２ｎａ）＜２．８      …（１２ｂ）
４．０＜（Ｒ１ｐａ＋Ｒ１ｎｂ）／（Ｒ１ｐａ−Ｒ１ｎｂ）＜２２．０    …（１３ｂ）
０．３＜Ｄ１／ｆｗ＜２．１                    …（１４ｂ）
０．２＜Ｄ２ｂ／ｆｗ＜０．６                  …（１５ｂ）
０．１８＜Ａ２ｗ／ｆｗ＜０．７０              …（１６ｂ）
０．９＜ｆ２ａ／Ｙｉｍ＜１．６                …（１７ｂ）
０．４＜Ｄ１／Ｙｉｍ＜１．４                  …（１８ｂ）
０．２５＜Ｄ２ｂ／Ｙｉｍ＜０．５０            …（１９ｂ）
０．２５＜Ａ２ｗ／Ｙｉｍ＜０．９０            …（２０ｂ）
［実施例１］
以下、図１を参照して、本発明の実施例１のズームレンズについて説明する。実施例１は物体側から像側へ順に、負の屈折力の第１レンズ群Ｌ１、正の屈折力の第２レンズ群Ｌ２ａ、負の屈折力の第３レンズ群Ｌ２ｂにて構成される３群ズームレンズである。第２レンズ群Ｌ２ａと第３レンズ群Ｌ２ｂにて後続レンズ群ＬＲを構成している。第２レンズ群Ｌ２ａが物体側部分レンズ群、第３レンズ群Ｌ２ｂが像側部分レンズ群に対応している。
【手続補正５】
【補正対象書類名】明細書
【補正対象項目名】０１２０
【補正方法】変更
【補正の内容】
【０１２０】
非球面データ
第4面
K = 0.00000e+000  A 4= 8.20395e-006  A 6= 9.28557e-009  A 8= 2.64200e-011  A10=-3.54299e-013  
第8面
K = 0.00000e+000  A 4= 1.15923e-005  A 6=-5.67829e-008  A 8= 1.09986e-008  
第14面
K = 0.00000e+000  A 4= 2.96335e-004  A 6= 1.17489e-006  A 8= 1.80007e-007  
各種データ
ズーム比     2.88 
広角     中間     望遠
焦点距離      18.10    35.29    52.10  
Fナンバー      3.61     5.32     7.00  
半画角（度）  36.92    21.08    14.63  
像高          13.60    13.60    13.60  
レンズ全長    68.05    60.82    64.72  
BF             0.50     0.50     0.50  
d 6           24.81     8.16     2.64  
d 7            1.25     0.79     0.34  
d14            9.49     7.67     6.93  
d18            7.80    19.50    30.12  
入射瞳位置    16.47    10.18     7.00  
射出瞳位置   -22.58   -33.08   -43.07  
前側主点位置  20.38     8.38    -3.19  
後側主点位置 -17.60   -34.79   -51.60  
ズームレンズ群データ
群  始面    焦点距離  レンズ構成長  前側主点位置  後側主点位置
L1    1     -34.36         8.70         0.33         -5.65
SS    7       ∞           0.00         0.00         -0.00
L2    8      20.79         7.90        -2.88         -7.21
L3   15     -66.79         5.40         9.66          4.95
G    19       ∞           2.20         0.81         -0.81
単レンズデータ
レンズ  始面  焦点距離
1       1    -18.27
2       3    666.34
3       5     40.66
4       8     17.98
5      10     26.59
6      11    -22.20
7      13   -100.14
8      15     27.47
9      17    -17.86
10      19      0.00
11      21      0.00
【手続補正６】
【補正対象書類名】明細書
【補正対象項目名】０１２４
【補正方法】変更
【補正の内容】
【０１２４】
（数値実施例６）
単位 mm
面データ
面番号       r        d      nd         νd       有効径
1        727.452    1.80   1.85135    40.1       23.04
2*        15.003    2.70                         19.16
3         16.736    2.40   1.92286    20.9       19.17
4         27.231  (可変)                         18.53
5(絞り)    ∞     (可変)                          9.01
6*         9.928    3.00   1.59201    67.0        9.55
7*        78.889    0.80                          9.02
8         18.174    0.85   1.84666    23.8        8.59
9          9.781    0.60                          8.08
10         22.158    1.60   1.55332    71.7        8.08
11        -42.136  (可変)                          7.92
12        -40.079    1.50   1.80518    25.4       11.84
13        -17.346    2.00                         12.22
14*       -10.992    1.00   1.80139    45.5       12.48
15        -37.520  (可変)                         14.05
16          ∞       1.20   1.51633    64.1       30.00
17          ∞       0.50                         30.00
18          ∞       0.50   1.51633    64.1       30.00
19          ∞                                    30.00
像面        ∞   
非球面データ
第2面
K = 0.00000e+000  A 4= 4.35360e-006  A 6= 1.10500e-007  A 8=-1.00078e-009  A10= 5.00441e-012  
第6面
K = 0.00000e+000  A 4=-8.53706e-005  A 6=-4.69354e-007  A 8=-5.47680e-009  
第7面
K = 0.00000e+000  A 4= 1.28767e-006  
第14面
K = 0.00000e+000  A 4= 5.27794e-006  A 6=-3.04548e-007  A 8= 7.12129e-009  
各種データ
ズーム比     2.82 
広角     中間     望遠
焦点距離      18.20    35.19    51.35  
Fナンバー      3.61     5.30     6.96  
半画角（度）  36.77    21.13    14.83  
像高          13.60    13.60    13.60  
レンズ全長    63.19    57.19    61.97  
BF             0.50     0.50     0.50  
d 4           20.82     6.11     2.18  
d 5            2.30     1.15     0.00  
d11           11.35    11.01    10.16  
d15            7.76    17.98    28.69  
入射瞳位置    14.55     8.32     5.86  
射出瞳位置   -24.02   -33.44   -43.16  
前側主点位置  19.24     7.03    -3.18  
後側主点位置 -17.70   -34.69   -50.85  
ズームレンズ群データ
群  始面    焦点距離  レンズ構成長  前側主点位置  後側主点位置
L1    1     -32.50         6.90         0.31         -4.52
SS    5       ∞           0.00         0.00         -0.00
L2    6      19.10         6.85         0.03         -4.87
L3   12     -45.45         4.50         4.07          0.62
G    16       ∞           2.20         0.81         -0.81
単レンズデータ
レンズ  始面  焦点距離
1       1    -18.01
2       3     42.40
3       6     18.88
4       8    -26.23
5      10     26.48
6      12     36.90
7      14    -19.73
8      16      0.00
9      18      0.00
【手続補正７】
【補正対象書類名】明細書
【補正対象項目名】０１２８
【補正方法】変更
【補正の内容】
【０１２８】
非球面データ
第7面
K = 0.00000e+000  A 4= 2.91535e-005  A 6= 1.26766e-006  A 8=-1.75900e-008  A10= 5.04086e-010  
第11面
K = 0.00000e+000  A 4= 1.07354e-003  A 6= 1.16639e-008  A 8= 3.67699e-006  A10=-6.73284e-008  
各種データ
ズーム比     1.91 
広角     中間     望遠
焦点距離      10.30    15.00    19.70  
Fナンバー      3.90     4.83     5.76  
半画角（度）  52.98    42.31    34.74  
像高          13.66    13.66    13.66  
レンズ全長    58.84    53.45    52.25  
BF             0.50     0.50     0.50  
d 6           14.52     5.74     1.15  
d12            4.10     3.89     3.75  
d16            4.50     8.10    11.62   
入射瞳位置    16.58    15.38    14.56  
射出瞳位置   -13.69   -17.11   -20.52  
前側主点位置  19.41    17.60    15.80  
後側主点位置  -9.80   -14.50   -19.20  
ズームレンズ群データ
群  始面    焦点距離  レンズ構成長  前側主点位置  後側主点位置
L1    1     -20.08        17.77         3.37        -11.76
L2    7      14.74         9.50        -1.74         -7.22
L3   13    -120.74         5.75         6.07          1.81
G    17       ∞           2.20         0.81         -0.81
単レンズデータ
レンズ  始面  焦点距離
1       1    -31.63
2       3    -22.46
3       5     39.20
4       7     10.99
5       8    -11.03
6      10     16.97
7      13     18.49
8      15    -15.62
9      17      0.00
10      19      0.00